(57)【特許請求の範囲】
【請求項１】
下部ケース及び上部ケースを含むハウジングと、
前記ハウジング内に設けられ、前記ディスクにデータを記録／再生するための光ピックアップユニット及び前記光ピックアップユニットを移送させる光ピックアップ移送装置が結合されたメインベースと、
前記ハウジング内に出入り自在に設けられ、ディスクを回転させるスピンドルモーターを支持するテーブルと、前記テーブルの両サイドに位置して前記テーブルとは所定間隔離れているサイドフレームとを有するトレイと、
前記下部ケースの上面に突設されて前記テーブルの両縁部が摺動自在に結合され、前記トレイの往復動時に前記テーブルの移動をガイドする一対のガイドリブと、
前記下部ケースに設けられるメイン印刷回路基板と、前記スピンドルモーターを制御するために前記トレイに設けられるスピンドルモーター印刷回路基板と、前記メイン印刷回路基板及び前記スピンドルモーター印刷回路基板を連結する可撓性印刷回路とを含む制御回路と、
前記トレイに設けられ、前記可撓性印刷回路が前記ガイドリブに干渉されること、及びディスクの底面に接触されることを防止する蓋体と、
を備えたことを特徴とするスリム型光ディスクドライブ。
【請求項２】
前記メインベースは、前記ハウジングの後方に配され、前記下部ケース上に設けられることを特徴とする請求項１に記載のスリム型光ディスクドライブ。
【請求項３】
前記メインベースに外部衝撃や振動が直接的に伝わることを減衰させるために前記下部ケース及び前記メインベースの間には複数の防振ゴムが挟まれることを特徴とする請求項１に記載のスリム型光ディスクドライブ。
【請求項４】
前記下部ケースには、前記複数の防振ゴム各々の中空に挿通される複数の突起が突設され、前記メインベースには、前記複数の防振ゴム各々の外周に係合される複数の係合突起が設けられることを特徴とする請求項３に記載のスリム型光ディスクドライブ。
【請求項５】
前記メインベースは、前記複数の防振ゴムにより前記下部ケースの表面から所定間隔離れて設けられることを特徴とする請求項３に記載のスリム型光ディスクドライブ。
【請求項６】
前記両サイドフレーム各々及び前記テーブルの間は、空き空間であることを特徴とする請求項１に記載のスリム型光ディスクドライブ。
【請求項７】
前記サイドフレームを支持し、前記トレイの往復動をガイドするトレイガイド手段が設けられることを特徴とする請求項６に記載のスリム型光ディスクドライブ。
【請求項８】
前記トレイガイド手段は、前記両サイドフレーム各々に摺動自在に結合される摺動レールと、前記下部ケースの両コーナーに固設されて前記摺動レールを摺動自在に支持するレールガイドとを具備することを特徴とする請求項７に記載のスリム型光ディスクドライブ。
【請求項９】
前記スピンドルモーター印刷回路基板は、前記テーブルに設けられることを特徴とする請求項１に記載のスリム型光ディスクドライブ。
【請求項１０】
前記一対のガイドリブ間の間隔は、前記トレイの往復動時に前記ガイドリブ及び前記スピンドルモーターが干渉しないほどであって、前記スピンドルモーターの直径より大きいことを特徴とする請求項１に記載のスリム型光ディスクドライブ。
【請求項１１】
前記蓋体は、その両端部が各々前記テーブルの上面及び、前記トレイの前端部に結合される前記前面ベゼルの背面に固定され、前記トレイの移動方向に直交する方向に延びた直交部及び前記トレイの移動方向に長く延びた平行部を含むことを特徴とする請求項１に記載のスリム型光ディスクドライブ。
【請求項１２】
前記蓋体の直交部は、その底面に前記可撓性印刷回路の一部が取り付けられて前記可撓性印刷回路が前記ガイドリブに干渉されることを防止し、前記蓋体の平行部は、前記トレイが前記ハウジングの内部に移動する時に前記可撓性印刷回路が撓んでディスクの底面に接触されることを防止することを特徴とする請求項１１に記載のスリム型光ディスクドライブ。
【請求項１３】
前記蓋体は、前記トレイが前記ハウジング内に挿入された時に前記メインベースとの干渉を避けるために、前記スピンドルモーター及び、前記トレイの前端部に結合される前記前面ベゼルの間に位置することを特徴とする請求項１に記載のスリム型光ディスクドライブ。
【請求項１４】
前記蓋体は、前記ガイドリブとの干渉を避けるために、前記ガイドリブの上面より高い位置に設けられることを特徴とする請求項１に記載のスリム型光ディスクドライブ。
【請求項１５】
ディスクの回転時にその振動によりディスクの底面及び前記蓋体が接触されることを防止するために、前記蓋体は、前記スピンドルモーターのターンテーブルに置かれたディスクの底面から少なくとも１ｍｍ離れて設けられることを特徴とする請求項１に記載のスリム型光ディスクドライブ。
【発明の詳細な説明】
【０００１】
【発明の属する技術分野】
本発明は光ディスクドライブに係り、より詳細には、その構造がより簡単であり、且つ、トレイの移送及びディスクの着脱がより容易であるスリム型光ディスクドライブに関する。
【０００２】
【従来の技術】
一般に 、光ディスクドライブは、コンパクトディスク（ＣＤ）、デジタルビデオディスク（ＤＶＤ）等の記録媒体に光を照射して情報を記録したり、記録された情報を再生したりする装置である。このような光ディスクドライブは主にコンピュータに採用され、特に、ノート型パソコンには極めて薄いスリム型光ディスクドライブが採用される。
【０００３】
図１は、従来のスリム型光ディスクドライブの構造を概略的に示す分解斜視図であり、図２Ａは、ディスクが装着された状態を概略的に示す垂直断面図であり、そして図２Ｂは、図２Ａの“Ａ”部の詳細図である。
【０００４】
図１と図２Ａ及び図２Ｂを参照すれば、スリム型光ディスクドライブは、下部ケース１１及び上部ケース１２を含むハウジング１０と、ハウジング１０に出入り自在に設けられるトレイ２０とを具備している。トレイ２０は、防振ゴム３２を介してメインベース３０と結合されている。メインベース３０には、ディスクＤを回転させるためのスピンドルモーター４０と、回転するディスクＤにデータを記録／再生するための光ピックアップユニット５０と、光ピックアップユニット５０をディスクの半径方向に往復移送するための移送装置（図示せず）とが設けられている。そして、スピンドルモーター４０の上面にはディスクＤが置かれるターンテーブル４２が設けられている。このように、トレイ２０には、スピンドルモーター４０及び光ピックアップユニット５０が設けられており、これらは共にハウジング１０に出入りする。
【０００５】
そして、光ディスクドライブには、前述の如きトレイ２０の移動をガイドするトレイガイド手段２８が設けられている。トレイガイド手段２８は、トレイ２０の両サイドに形成されているレール結合部２２と、レール結合部２２に摺動自在に結合される摺動レール２４と、下部ケース１１の両コーナーに固設されて摺動レール２４を摺動自在に支持するレールガイド２６とを含む。
【０００６】
また、ハウジング１０の内部及びトレイ２０の底面には、図示はしていないが、 トレイ２０をハウジング１０内にロックするためのロック装置及びトレイ２０をハウジング１０から取り出すための取り出し装置が設けられており、トレイ２０の前面ベゼル６０には、取り出し装置を作動させるためのエジェクトボタン６２が設けられている。
【０００７】
一方、下部ケース１１には、光ディスクドライブ及び外部機器をインタフェイスするためのメイン印刷回路基板７０が設けられる。そして、固設されたメイン印刷回路基板７０及びトレイ２０と共に移動するスピンドルモーター４０及び光ピックアップユニット５０は、可撓性印刷回路７２により電気的に接続される。
【０００８】
このような構成を有したスリム型光ディスクドライブにおいて、ディスクＤをローディングする場合には、トレイ２０をハウジング１０の外側に取り出した後、ディスクＤをターンテーブル４２に置いてハウジング１０の内部に挿入する。これにより、ロック装置が作動してトレイ２０がハウジング１０の内部にロックされる。ディスクＤをアンローディングする場合には、エジェクトボタン６２を押せば、取り出し装置が作動してトレイ２０をハウジング１０の外側に取り出す。
【０００９】
しかしながら、前述した従来のスリム型光ディスクドライブでは、トレイ２０にスピンドルモーター４０と光ピックアップユニット５０及びその移送装置も共に設けられるため、トレイ２０の構造が複雑になり、且つ、トレイ２０にこれらの設置のための空間を確保しなければならないため、トレイ２０が高まる。そして、トレイ２０と共にスピンドルモーター４０と光ピックアップユニット５０及びその移送装置も取り出されるため、トレイ２０の移送時に多くの荷重がかかってその移送が円滑ではなく、しかもこのように多くの荷重を支持するためにトレイ２０及びトレイガイド手段も厚くなる必要がある。従って、従来の光ディスクドライブでは、前述の理由から、そのスリム化に限界があった。
【００１０】
そして、このような構造の複雑性により、ディスクＤの振動によるディスクＤとトレイ２０との接触を防止するために必要とされるディスクＤ及びトレイ２０間の間隔確保のための設計上の制約が生じている。また、主加振源として作用するスピンドルモーター４０の振動低減設計において、トレイ２０を通じた振動伝達経路の把握が困難であり、これにより、振動低減設計も困難であるという問題点がある。
【００１１】
そして、固定されたメイン印刷回路基板７０と移動するスピンドルモーター４０及び光ピックアップユニット５０を連結するために可撓性印刷回路７２が設けられるが、トレイ２０の往復動時に可撓性印刷回路７２及びトレイ２０が接触して可撓性印刷回路７２の表面が摩耗される恐れがあり、これにより、その耐久性が落ちたり短絡されたりするという問題点がある。
【００１２】
【発明が解決しようとする課題】
本発明は、前記の如き従来の技術の問題点を解決するためになされたものであり、特に、光ピックアップユニット及びその移送装置はハウジングの内部に設けられ、トレイにはスピンドルモーターのみ設けられることにより、その全体的な構造が一層単純化し、且つ、トレイの移送及びディスクの着脱がより容易になるスリム型光ディスクドライブを提供するところにその目的がある。
【００１３】
【課題を解決するための手段】
前記目的を達成するために、本発明に係るスリム型光ディスクドライブは、下部ケース及び上部ケースを含むハウジングと、前記ハウジング内に設けられ、前記ディスクにデータを記録／再生するための光ピックアップユニット及び前記光ピックアップユニットを移送させる光ピックアップ移送装置が結合されたメインベースと、前記ハウジング内に出入り自在に設けられ、ディスクを回転させるスピンドルモーターを支持するテーブルと、前記テーブルの両サイドに位置して前記テーブルとは所定間隔離れているサイドフレームとを有するトレイと、前記下部ケースの上面に突設されて前記テーブルの両縁部が摺動自在に結合され、前記トレイの往復動時に前記テーブルの移動をガイドする一対のガイドリブと、前記下部ケースに設けられるメイン印刷回路基板と、前記スピンドルモーターを制御するために前記トレイに設けられるスピンドルモーター印刷回路基板と、前記メイン印刷回路基板及び前記スピンドルモーター印刷回路基板を連結する可撓性印刷回路とを含む制御回路と、前記トレイに設けられ、前記可撓性印刷回路が前記ガイドリブに干渉されること、及びディスクの底面に接触されることを防止する蓋体と、を備えたことを特徴とする。
【００１４】
前記メインベースは、前記ハウジングの後方に配され、前記下部ケース上に設けられることが望ましい。
【００１５】
そして、前記メインベースに外部衝撃や振動が直接的に伝わることを減衰させるために、前記下部ケース及び前記メインベースの間には複数の防振ゴムが挟まれることも可能である。
【００１６】
前記メインベースは、前記複数の防振ゴムにより前記下部ケースの表面から所定間隔離れて設けられることが望ましい。
【００１８】
ここで、前記両サイドフレーム各々及び前記テーブルの間は、空き空間であることが望ましい。よって、ハウジングからトレイが取り出された状態でディスクをスピンドルモーターのターンテーブル上に着脱する時、ディスクの下方に位置したトレイも空き空間となっているので、ディスクの取り扱いが容易になる。
【００１９】
そして、前記サイドフレームを支持し、前記トレイの往復動をガイドするトレイガイド手段が設けられ、前記トレイガイド手段は、前記両サイドフレーム各々に摺動自在に結合される摺動レールと、前記下部ケースの両コーナーに固設されて前記摺動レールを摺動自在に支持するレールガイドとを具備することが望ましい。
【００２２】
前記蓋体は、その両端部が各々前記テーブルの上面及び前記前面ベゼルの背面に固定され、前記トレイの移動方向に直交する方向に延びた直交部及び前記トレイの移動方向に長く延びた平行部を含むことができる。
【００２３】
ここで、前記蓋体の直交部は、その底面に前記可撓性印刷回路の一部が取り付けられて前記可撓性印刷回路が前記ガイドリブに干渉されることを防止し、前記蓋体の平行部は、前記トレイが前記ハウジングの内部に移動する時に前記可撓性印刷回路が撓んでディスクの底面に接触されることを防止する。
【００２４】
そして、前記蓋体は、前記トレイが前記ハウジング内に挿入された時に前記メインベースとの干渉を避けるために、前記スピンドルモーター及び前記前面ベゼルの間に位置することが望ましい。
【００２５】
また、前記蓋体は、前記ガイドリブとの干渉を避けるために、前記ガイドリブの上面より高い位置に設けられることが望ましい。
【００２６】
また、ディスクの回転時にその振動によりディスクの底面及び前記蓋体が接触されることを防止するために、前記蓋体は、前記スピンドルモーターのターンテーブルに置かれたディスクの底面から少なくとも１ｍｍ離れるように設けられる。
【００２７】
このような構成によれば、トレイにスピンドルモーターのみ設けられるので、その移動時に加えられる荷重が減ってトレイの往復動が一層円滑になり、且つ、荷重の減少によってトレイが一層薄くなるので、軽量薄型化した光ディスクドライブが具現可能になる。
【００２８】
【発明の実施の形態】
以下、添付した図面に基づき、本発明の望ましい実施形態によるスリム型光ディスクドライブについて詳細に説明する。
【００２９】
図３は、本発明に係るスリム型光ディスクドライブの構造を示す分解斜視図であり、図４Ａは、ディスクが装着された状態を概略的に示す垂直断面図であり、そして図４Ｂは、図４Ａの“Ｂ”部の詳細図である。
【００３０】
図３と図４Ａ及び図４Ｂを参照すれば、本発明に係るスリム型光ディスクドライブは、下部ケース１１１及び上部ケース１１２を含むハウジング１１０と、ハウジング１１０に出入り自在に設けられるトレイ１２０とを具備する。
【００３１】
ハウジング１１０の内部の下部ケース１１１上には、メインベース１３０が設けられる。メインベース１３０は、後述する他の構成要素との干渉を避けるために、ハウジング１１０の内部の後方に配される。そして、メインベース１３０に外部衝撃や振動が直接的に伝わることを減衰させるために、下部ケース１１１及びメインベース１３０の間には防振ゴム１３２が挟まれる。このために、下部ケース１１１には防振ゴム１３２の中空に挿通される複数の突起１１３が突設され、メインベース１３０には防振ゴム１３２の外周に係合される複数の係合突起１３４が設けられている。そして、メインベース１３０は、防振ゴム１３２により下部ケース１１１の表面から所定間隔離れて設けられる。このように、メインベース１３０が下部ケース１１１の表面から所定間隔離れて設けられるので、後述するスピンドルモーター１４０付きテーブル１２３がハウジング１１０の内部にローディングされた時にメインベース１３０とテーブル１２３との干渉が避けられる。すなわち、テーブル１２３は、下部ケース１１１及びメインベース１３０の間の空間を通過する。また、下部ケース１１１に突設された突起１１３もテーブル１２３との干渉を避けるためにテーブル１２３の進行方向を避けて配される。
【００３２】
そして、メインベース１３０には、回転するディスクＤにデータを記録／再生するための光ピックアップユニット１５０と、光ピックアップユニット１５０をディスク半径方向に往復移送するための光ピックアップ移送装置１５２とが設けられる。
【００３３】
メインベース１３０及び光ピックアップユニット１５０の結合構造の詳細は、図５に示されている。図５を参照すれば、メインベース１３０の側面には、前述の如く、下部ケース１１１上に設置可能に防振ゴム１３２が係合される複数の係合突起１３４が形成されている。そして、メインベース１３０には、ディスクの半径方向に長く形成された中空部１３６が形成されており、この中空部１３６の長手方向に沿って光ピックアップユニット１５０が往復動する。光ピックアップユニット１５０は、中空部１３６の両サイドに各々設けられたガイドシャフト１５７，１５８と結合されてその往復動がガイドされる。また、メインベース１３０には、光ピックアップユニット１５０を往復移送するための光ピックアップ移送装置１５２が設けられる。光ピックアップ移送装置１５２は、その回転により光ピックアップユニット１５０を直線移動させるリードスクリュー１５５と、駆動モーター１５３と、駆動モーター１５３の動力をリードスクリュー１５５に伝える連結ギア群１５４とを含む。
【００３４】
図３と図４Ａ及び図４Ｂに戻って説明すれば、トレイ１２０は、その中間部位に位置したテーブル１２３と、その両サイドに位置してテーブル１２３とは所定間隔離れているサイドフレーム１２２とを具備する。テーブル１２３及びサイドフレーム１２２は各々その前端部が前面ベゼル１６０と係合される。テーブル１２３は、トレイ１２０の往復動方向に長く形成された薄板状を呈しており、この上にはディスクＤを回転させるためのスピンドルモーター１４０が設けられる。従って、スピンドルモーター１４０は、テーブル１２３により支持されてトレイ１２０と共にハウジング１１０に出入りする。一方、スピンドルモーター１４０の上面には、ディスクＤが置かれるターンテーブル１４２が設けられる。前述の通り、トレイ１２０は、テーブル１２３及び両サイドフレーム１２２を除いては空き空間となっている。従って、トレイ１２０上にディスクＤを着脱する時、ディスクＤの下方が空き空間であるため、ディスクＤの取り扱いが容易になる。
【００３５】
そして、トレイ１２０の両サイドフレーム１２２は、望ましくは、四角棒状を呈しており、これはトレイガイド手段１２８により支持される。トレイガイド手段１２８は、トレイ２０の両サイドフレーム１２２に摺動自在に結合される摺動レール１２４と、下部ケース１１１の両コーナーに固設されて摺動レール１２４を摺動自在に支持するレールガイド１２６とを具備する。このように、摺動レール１２４は、ハウジング１１０の下部ケース１１１及びトレイ１２０のサイドフレーム１２２を連結する役割をも果たす。
【００３６】
また、ハウジング１１０の内部には、トレイ１２０の往復動時にスピンドルモーター１４０が設けられたテーブル１２３の移動をガイドするためのテーブルガイド手段が設けられる。かかるテーブルガイド手段として、テーブル１２３の両縁部が摺動自在に結合される一対のガイドリブ１２９が下部ケース１１１の上面に突設される。一対のガイドリブ１２９は互いに平行に設けられ、それらの間を通じてテーブル１２３が往復動する。一対のガイドリブ１２９はトレイ１２０の往復動時にスピンドルモーター１４０に干渉されないほどにその間隔が決まる。
【００３７】
前述の通り、本発明は、光ピックアップユニット１５０及びその移送装置１５２はメインベース１３０に結合されて下部ケース１１１上に固設され、スピンドルモーター１４０のみがトレイ１２０に設けられてトレイ１２０と共にハウジング１２０から取り出される点にその主たる特徴がある。従って、トレイ１２０の移動時に加わる荷重が減ってトレイ１２０の往復動が一層円滑になり、且つ、荷重減少によってトレイ１２０を一層薄くできるので、軽量薄型化した光ディスクドライブが具現可能になる。
【００３８】
一方、図示はしていないが、ハウジング１１０の内部及びトレイ１２０にはトレイ１２０をハウジング１１０内にロックするためのロック装置及びトレイ１２０をハウジング１１０から取り出すための取り出し装置が設けられており、トレイ１２０の前面ベゼル１６０には取り出し装置を作動させるためのエジェクトボタン１６２が設けられている。
【００３９】
ハウジング１１０の内部には、光ディスクドライブ及び外部機器をインタフェイスするためのメイン印刷回路基板１７０が設けられる。メイン印刷回路基板１７０は、ガイドリブ１２９の一側の空き空間に配され、下部ケース１１１上に固設される。そして、メイン印刷回路基板１４０と光ピックアップユニット１５０及びその移送装置１５２を電気的に接続するための印刷回路１７１が備えられるが、これは下部ケース１１１の上面に取り付けられても良く、メインベース１３０の底面に取り付けられても良い。また、固設されたメイン印刷回路基板１７０及びトレイ１２０と共に移動するスピンドルモーター１４０を制御するスピンドルモーター印刷回路基板１７４を電気的に接続するために折り畳み可能な可撓性印刷回路１７２が備えられる。これは、スピンドルモーター１４０の往復動によってメイン印刷回路基板１７０及びスピンドルモーター印刷回路基板１７４の間の間隔が変わるためである。
【００４０】
しかしながら、トレイ１２０が往復動する時、可撓性印刷回路１７２はスピンドルモーター１４０付きテーブル１２３の往復動をガイドするガイドリブ１２９に干渉されることがあり、スピンドルモーター１４０のターンテーブル１４２に置かれたディスクＤの底面と接触されることもある。従って、このような干渉及び接触を避けるために蓋体１７６が設けられる。蓋体１７６は、トレイ１２０の移動方向に直交する方向に延びた直交部１７６ａ及びトレイ１２０の移動方向と平行にその取り出し方向に長く延びた平行部１７６ｂを含み、略“Ｌ”字状を呈する。蓋体１７６は、その直交部１７６ａの端部がテーブル１２３上に固定され、その平行部１７６ｂの端部が前面ベゼル１６０の背面に固定されることにより、トレイ１２０上に移動不能に支持される。一方、蓋体１７６は、トレイ１２０がハウジング１１０内に挿入された時にメインベース１３０との干渉を避けるために、スピンドルモーター１４０の前方に、すなわち前面ベゼル１６０側に位置する。
【００４１】
可撓性印刷回路１７２及び蓋体１７６の構造の詳細は、図６に示されている。図６を参照すれば、蓋体１７６の直交部１７６ａは、ガイドリブ１２９との干渉を避けるために、ガイドリブ１２９の上面より高い位置に設けられる。この時、ガイドリブ１２９の上面及び直交部１７６ａの底面の間の間隔は少なくとも可撓性印刷回路１７２の厚みより大きく決まる。そして、直交部１７６ａの高さはスピンドルモーター１４０のターンテーブル１４２に置かれたディスクＤの底面から少なくとも１ｍｍ以上、望ましくは、略１．３ｍｍ離れるように決まる。これは、ディスクＤの回転時にその振動によりディスクＤの底面、すなわち記録面及び蓋体１７６の直交部１７６ａが接触されることを防止するためのである。そして、メイン印刷回路基板１７０及びスピンドルモーター印刷回路基板１７４にその両端部が各々接続された可撓性印刷回路１７２は、スピンドルモーター印刷回路基板１７４に隣接した部分が直交部１７６ａの底面に取り付けられ、残りの部分は自由に撓むように維持される。従って、トレイ１２０がハウジング１１０内部に移動する時に可撓性印刷回路１７２がガイドリブ１２９に干渉されることが避けられる。
【００４２】
一方、図７Ａないし図７Ｃは、トレイ１２０の往復動に伴う可撓性印刷回路１７２の変形及び蓋体１７６の平行部１７６ｂの機能を説明するための図である。
【００４３】
まず、図７Ａを参照すれば、トレイ１２０がハウジングから取り出された状態では、メイン印刷回路基板１７０及びスピンドルモーター印刷回路基板１７４の間に接続された可撓性印刷回路１７２はやや緊張状態にある。この状態でスピンドルモーター１４０のターンテーブル１４２にディスクＤを置いた後、図７Ｂに示されたように、トレイ１２０を矢印方向に押し付けば、可撓性印刷回路１７２は撓む。この時、可撓性印刷回路１７２はその下部が空き空間であるため、他の構成要素との接触なしに下方に自由に撓める。次に、トレイ１２０をハウジングの内部に完全に挿入させれば、可撓性印刷回路１７２は一層撓むことになる。この時、蓋体１７６の平行部１７６ｂは、可撓性印刷回路１７２が撓んでディスクＤの底面と接触することを防ぐ。一方、この過程で、前述の如く、可撓性印刷回路１７２はガイドリブ１２９より高く位置した蓋体１７６の直交部１７６ａの底面に取り付けられているので、ガイドリブ１２９に干渉されることも避けられる。
【００４４】
【発明の効果】
以上述べたように、本発明に係るスリム型光ディスクドライブは、下記の如き効果がある。
【００４５】
第一に、本発明のスリム型光ディスクドライブは、トレイにスピンドルモーターのみ設けられるので、その移動時に加わる荷重が減ってトレイの往復動が一層円滑になる。また、荷重の減少によってトレイが一層薄くなるので、軽量薄型化した光ディスクドライブが具現可能になる。そして、トレイの構造が簡単になって製作コストが省かれる。
【００４６】
第二に、本発明では、可撓性印刷回路がメイン印刷回路基板及びスピンドルモーター印刷回路基板を連結する用途のみにて使われるので、従来に比べて狭い可撓性印刷回路が使用できる。よって、可撓性印刷回路が占める空間が狭まり、その製作コストも節減できる。一方、可撓性印刷回路が他の構成要素と接触するに伴う表面摩耗及び断線の危険性も減る。
【００４７】
第三に、ハウジングからトレイが取り出された状態でディスクをターンテーブル上に着脱する時、ディスクの下方に位置したトレイも空き空間となっているので、ディスクの取り扱いが容易になる。
【００４８】
第四に、トレイの構造が単純化するに伴い、スピンドルモーターからの振動伝達経路の把握が容易になり、これにより振動低減設計も容易になる。
【００４９】
本発明は開示された実施形態を参照して説明されたが、これは単なる例示的なものに過ぎず、当該分野における当業者であれば、これより各種の変形及び均等な他の実施形態が可能であるという点は理解できるであろう。よって、本発明の真の技術的な保護範囲は、特許請求の範囲によって定まるべきである。
【図面の簡単な説明】
【図１】従来のスリム型光ディスクドライブの構造を概略的に示す分解斜視図である。
【図２Ａ】図１の光ディスクドライブにディスクが装着された状態を示す垂直断面図である。
【図２Ｂ】図２Ａの“Ａ”部の詳細図である。
【図３】本発明に係るスリム型光ディスクドライブの構造を示す分解斜視図である。
【図４Ａ】図３に示された本発明に係る光ディスクドライブにディスクが装着された状態を示す垂直断面図である。
【図４Ｂ】図４Ａの“Ｂ”部の詳細図である。
【図５】図３に示されたメインベース組立て体の底面斜視図である。
【図６】図３に示された可撓性印刷回路及び蓋体の構造を示す部分垂直断面図である。
【図７Ａ】トレイの往復動による可撓性印刷回路の変形及び蓋体の平行部の機能を説明するための部分断面図である。
【図７Ｂ】トレイの往復動による可撓性印刷回路の変形及び蓋体の平行部の機能を説明するための部分断面図である。
【図７Ｃ】トレイの往復動による可撓性印刷回路の変形及び蓋体の平行部の機能を説明するための部分断面図である。
【符号の説明】
１１０  ハウジング
１１１  下部ケース
１１２  上部ケース
１２０  トレイ
１２２  サイドフレーム
１２８  トレイガイド手段
１３０  メインベース
１６０  前面ベゼル
Ｄ      ディスク
【図１】
0003813564.tif 000002
【図２Ａ】
0003813564.tif 000003
【図２Ｂ】
0003813564.tif 000004
【図３】
0003813564.tif 000005
【図４Ａ】
0003813564.tif 000006
【図４Ｂ】
0003813564.tif 000007
【図５】
0003813564.tif 000008
【図６】
0003813564.tif 000009
【図７Ａ】
0003813564.tif 000010
【図７Ｂ】
0003813564.tif 000011
【図７Ｃ】
0003813564.tif 000012